(57)【要約】【課題】  レフィル容器を外容器に収納して吐出ポンプを装着して内容液を吐出する場合、底蓋が極端に傾くことなく上昇し、内容器がスムースにつぶれるようにしたレフィル容器を提供すること。【解決手段】  容器口部と、底蓋、および筒状フィルムとからなるレフィル容器であって、容器口部は、口筒部とフランジと、外周壁を具備しており、底蓋は、溶着筒と、溶着筒上端より低い位置に設けた底板を具備しており、筒状フィルムは、容器口部の外周壁と底蓋の溶着筒に溶着されていることを特徴とする。【選択図】  図１
2008273556.tif 000002
【特許請求の範囲】
【請求項１】
容器口部と、底蓋、および筒状フィルムとからなるレフィル容器であって、
容器口部は、口筒部とフランジと、外周壁を具備しており、
底蓋は、溶着筒と、溶着筒上端より低い位置に設けた底板を具備しており、
筒状フィルムは、容器口部の外周壁と底蓋の溶着筒に溶着されていることを特徴とするレフィル容器。
【請求項２】
底蓋の底板が、溶着筒上端より下方に延びる折り返し部下端に連設されていることを特徴とする請求項１記載のレフィル容器。
【請求項３】
容器口部に、残量防止スペーサーが取着され、
残量防止スペーサーは、嵌合内筒と外筒、および底板とからなり、
底板は、容器口部の外周壁下端より上方に位置し、
嵌合内筒の下端には、内方に傾斜する円錐筒が設けられていることを特徴とする請求項１または２記載のレフィル容器。
【請求項４】
残量防止スペーサーに、容器口部の注出口筒を嵌着する外周壁を設けて溶着部としたことを特徴とする請求項３記載のレフィル容器。
【請求項５】
容器口部と、底蓋、および筒状フィルムとからなるレフィル容器であって、
容器口部は、口筒部と、該口筒部の中間部より広がるフランジ、および下端がフランジより下方に位置する外周壁とからなり、
口筒部の下端に、内方に傾斜する円錐筒が設けられていることを特徴とするレフィル容器。
【発明の詳細な説明】
【技術分野】
【０００１】
本発明は、化粧品、薬品、その他のクリーム状、または粘性液状の内容物の吐出可能なレフィル容器に関するものである。
【背景技術】
【０００２】
レフィル容器を外容器に収納し口部より注出したり、吐出ポンプを装着し内容液を吐出したりするレフィル容器は、従来より知られている（例えば、特許文献１参照）。
【特許文献１】特開平１１−３０１７３２号公報
【発明の開示】
【発明が解決しようとする課題】
【０００３】
しかしながら、上記特許文献１記載のレフィル容器では、単純に外容器に収納し内容液を吐出し使用する場合は問題ないが、吐出ポンプを装着して内容液を吐出する場合、図６のように、底蓋の断面形状が逆Ｕ字状であるので、内容液が吐出され内容器がつぶれていくと、底蓋が大きく傾きスムースに内容液が吐出されないという問題があった。
【０００４】
本発明は、上記問題を解決することを課題とし、レフィル容器を外容器に収納して吐出ポンプを装着して内容液を吐出する場合、底蓋が極端に傾くことなく上昇し、内容器がスムースにつぶれるようにしたレフィル容器を提供することを目的とする。
【課題を解決するための手段】
【０００５】
本発明は、上記の問題を解決するため、レフィル容器として、容器口部と、底蓋、および筒状フィルムとからなるレフィル容器であって、容器口部は、口筒部とフランジと、外周壁を具備しており、底蓋は、溶着筒と、溶着筒上端より低い位置に設けた底板を具備しており、筒状フィルムは、容器口部の外周壁と底蓋の溶着筒に溶着されていることを特徴とする構成を採用する。
【０００６】
底蓋の実施例として、底蓋の底板が、溶着筒上端より下方に延びる折り返し部下端に連設されていることを特徴とする構成を採用する。
【０００７】
残量防止スペーサーの実施例として、容器口部に、残量防止スペーサーが取着され、残量防止スペーサーは、嵌合内筒と外筒、および底板とからなり、底板は、容器口部の外周壁下端より上方に位置し、嵌合内筒の下端には、内方に傾斜する円錐筒が設けられていることを特徴とする構成を採用し、別実施例として、残量防止スペーサーに、容器口部の注出口筒を嵌着する外周壁を設けて溶着部としたことを特徴とする構成を採用する。
【０００８】
レフィル容器の別実施例として、容器口部と、底蓋、および筒状フィルムとからなるレフィル容器であって、容器口部は、口筒部と、該口筒部の中間部より広がるフランジ、および下端がフランジより下方に位置する外周壁とからなり、口筒部の下端に、内方に傾斜する円錐筒が設けられていることを特徴とする構成を採用する。
【発明の効果】
【０００９】
レフィル容器の底蓋が、溶着筒と、その上端より低い位置に設けた底板によって構成されているので、ポンプによる内容液吸上げにあたって、筒状フィルムの下端が内方に折り曲げられ、底蓋の傾きを少なくすることができ、内容液をスムースに吐出できるようになった。
また、残量防止スペーサーを設けたことにより、内容液を最後まで吐出することができ、さらに、スペーサーの下端に円錐筒を設け、該円錐筒の下端とポンプのシリンダー外周を係合させたので、レフィル容器内を気密にすることができた。
【発明を実施するための最良の形態】
【００１０】
次に、本発明のレフィル容器について、実施例をあげ、図面を参照して説明する。
【実施例１】
【００１１】
図１、２において、Ａはレフィル容器、Ｂは外容器、Ｃは外容器Ｂに装着するポンプ、Ｄはオーバーキャップである。
レフィル容器Ａは、容器口部Ａ１と、容器口部Ａ１に取着された残量防止スペーサーＡ２、底蓋Ａ３と、容器口部Ａ１と底蓋Ａ３の間を接続する筒状フィルムＡ４とからなっている。
【００１２】
容器口部Ａ１は、口筒部１とフランジ２、フランジ２の周縁より垂設された外周壁３とを具えており、口筒部１には、ねじ４が螺設され、フランジ２の外周壁３の内側には、嵌合筒５が垂設されている。  
【００１３】
残量防止スペーサーＡ２は、容器口部Ａ１の口筒部１内周と、外周壁３と嵌合筒５とにそれぞれ嵌合する嵌合内筒６と外筒７、および外周壁３の下端より上方に位置する底板８とからなり、嵌合内筒６の下方に、内方に傾斜した円錐筒９を具えている。
【００１４】
底蓋Ａ３は、溶着筒１０と、溶着筒１０の中間に設けた底板１１とからなり、断面形状Ｈ形状となっている。
【００１５】
筒状フィルムＡ４は、容器口部Ａ１の外周壁３の外周面と、底蓋Ａ３の溶着筒１０外周面とにそれぞれ溶着形成されている。
【００１６】
外容器Ｂは、側周壁１５と底壁１６とキャップ１７とからなっており、キャップ１７は、外周にねじを螺設した口筒部１８と、フランジ１９と、側周壁２０とからなっている。
側周壁１５の上端には、レフィル容器Ａのフランジ２の外周に突設した凸部２ａが嵌合される凹溝２１が設けられ、上端部には、ねじ２２が螺設され、キャップ１７の側周壁２０が螺着されるようになっている。
【００１７】
ポンプＣは、取付キャップ２５によってレフィル容器Ａと外容器Ｂの口筒部１、１８に装着されており、ポンプＣのステム２６の上端には、吐出ノズル２７が取着され、ポンプＣの下方には、吸上げパイプ２８が取着されている。
【００１８】
次に、本実施例のレフィル容器の使用態様と作用効果について説明する。
レフィル容器Ａには、クリーム状または粘性液状の内容物が充填され、図２に示すように、外容器Ｂ内に挿入される。
【００１９】
次いで、キャップ１７を外容器Ｂに被嵌し、取付キャップ２５を介して、ポンプＣの吸上げパイプ２８を内容液中に挿入するようにして、レフィル容器Ａを、外容器Ｂに装着する。
吐出ノズル２７を押圧すると、吸上げパイプ２８を通じて内容液がポンプＣ内に吸込まれ、吐出ノズル２７から吐出される。
【００２０】
吐出にあたって、内容液の吸上げに応じて、吸上げ当初には、まず、底蓋Ａ３が上昇するが、次いで、筒状フィルムＡ４の下端部ａが内方に引張られて、図３に示すように、底板１１に接触するように折り込まれるようになる。
そのことによって、底蓋Ａ３は、大きく傾くことなく、一定の位置まで上昇する。
【００２１】
次いで、内容液の吸上げに応じて減圧され、図４（ａ）（ｂ）に示すように、筒状フィルムＡ４が潰されていくので、ポンプＣによる吸上げが、バランスよくスムーズに行われる。
【００２２】
また、レフィル容器Ａの上端部には、残量防止スペーサーＡ２が取着されており、残量防止スペーサーＡ２の底板８は、容器口部Ａ１の外周壁３の下端より上方に位置するので、筒状フィルムＡ４上端部では、フィルムの潰れとともに、外周壁３の下端より内に折れ曲がり、ポンプＣの吸上げに応じて底板８に接するようになり、ポンプＣのシリンダーの上端部にある内容液が残ることはなく、全ての内容液を最後まで、スムーズに吐出することができる。
さらに、円錐筒９の先端がシリンダー外周に係合しているので、レフィル容器Ａ内を密閉するとともに内容液を外気から遮断して、内容液が容器口部とシリンダとの間から漏れたり、レフイル容器内に外気が浸入することを防ぐことができる。
【実施例２】
【００２３】
次に、容器口部と残量防止スペーサーの構成を変更した第２実施例について説明する。
図５（ａ）において、Ｅはスペーサーを兼用するレフィル容器の容器口部であり、溶着部を形成する外周壁３０と底板３１とを具えている。
【００２４】
底板３１の中央部から、嵌合筒３２が立設され、外周壁３０に近接して内筒３３が立設されている。
嵌合筒３２には、注出口筒３４が被嵌されており、注出口筒３４は、筒部３５とフランジ３６、フランジ３６の周縁から垂設され、外周壁３０と内筒３３との間に廻動不能として嵌着される係止筒３７とからなっている。
嵌合筒３２の下端には、第１実施例と同様に、円錐筒９が垂設されている。
【００２５】
本実施例は、第１実施例とは容器口部とスペーサーの取付方法が相違するだけで、同等の作用効果を得ることができる。
【実施例３】
【００２６】
次に、容器口部と残量防止スペーサーを一体成形した第３実施例について説明する。
図５（ｂ）において、Ｆは注出口筒である。
注出口筒Ｆは、口筒部４０とフランジ４１、および外周壁４２とからなり、口筒部４０の外周下端にはすり割を設けたねじ４３が螺設され、口筒部４０下端には、内方に傾斜する円錐筒４４が垂設されている。
【００２７】
本実施例においては、容器口部とスベーサーが一体成形されているので、生産コストを低く抑えることができ、その他の点では、第１実施例と同等の効果を得ることができる。
【実施例４】
【００２８】
次に、底蓋の構成を変更した第４実施例について説明する。
図６（ａ）において、底蓋Ａ３ａは、溶着筒５０と、その上端より内方に傾斜する短い折り返し部５１と、折り返し部５１に連設された底板５２とから構成されている。
【００２９】
筒状フィルムＡ４の溶着に際しては、図６（ｂ）に示すように、底蓋Ａ３ａの溶着筒５０内面に当接する受け治具Ｊが用いられるが、当接される高さは長くなり、溶着範囲を広くすることができるという作用効果を得ることができる。
その他の作用効果は、第１実施例と同等の作用効果を得ることができる。
【産業上の利用可能性】
【００３０】
本発明は、底蓋の底板を溶着筒上端より下方に形成したことにより、筒状フィルムがスムースに収縮し、内容液が円滑に吐出できるようになった。
また、残量防止スペーサーにより残量を少なくするとともに、吐出ポンプとレフィル容器との気密が保てるので、内容液が保護され、利用範囲が広がった。
【図面の簡単な説明】
【００３１】
【図１】本発明のレフィル容器の説明図で、（ａ）は上面図、（ｂ）は一部断面立面図である。
【図２】レフィル容器を外容器に挿入し、ポンプを装着したときの一部断面立面図である。
【図３】内容液吸上げ当初の説明図である。
【図４】内容液吸上げ時の説明図で、（ａ）はフィルムの押し潰れ時、（ｂ）は最終吸上げ時の状態である。
【図５】容器口部とスペーサーの変形図で、（ａ）は第２実施例、（ｂ）は第３実施例の一部断面立面図である。
【図６】底蓋の変形図で、（ａ）は第４実施例の底蓋の一部断面立面図、（ｂ）は溶着部受け治具の装着図である。
【符号の説明】
【００３２】
Ａ              レフィル容器
Ａ１、Ｅ        容器口部
Ａ２            残量防止スペーサー
Ａ３、Ａ３ａ    底蓋
Ａ４            筒状フィルム
ａ              下端部
Ｂ              外容器
Ｃ              ポンプ
Ｄ              オーバーキャップ
Ｆ              注出口部
Ｊ              受け治具
１、１８、４０  口筒部
２、１９、３６、４１  フランジ
２ａ            凸部
３、３０、４２  外周壁
４、２２、４３  ねじ
５、３２        嵌合筒
６              嵌合内筒
７              外筒
８、１１、３１  底板
９、４４        円錐筒
１０、５０      溶着筒
１５、２０      側周壁
１６、５２      底壁
１７            キャップ
２１            凹溝
２５            取付キャップ
２６            ステム
２７            吐出ノズル
２８            吸上げパイプ
３３            内筒
３４            注出口筒
３５            筒部
３７            係止筒
５１            折り返し部
【図１】
2008273556.tif 000003
【図２】
2008273556.tif 000004
【図３】
2008273556.tif 000005
【図４】
2008273556.tif 000006
【図５】
2008273556.tif 000007
【図６】
2008273556.tif 000008